(57)【要約】【課題】歯磨剤の飛散を抑制することが可能な電動歯ブラシを提供する。【解決手段】電動歯ブラシ１は、把持部１０およびブラシ部２０を有する。把持部１０は、駆動部６０、把持部電極４０、検知部３０、および制御部５０を有する。ブラシ部２０は、ブラシヘッド部電極４１を有する。検知部３０は、把持部電極４０とブラシヘッド部電極４１との間の電極間抵抗に応じて出力電位を変化させる。制御部５０は、検知部３０の出力電位に応じて駆動部６０を制御する。【選択図】図２
2014018468.tif 000002
【特許請求の範囲】
【請求項１】
把持部と、
ブラシヘッド部を有するブラシ部と、
前記ブラシ部を駆動する駆動部と
を有する電動歯ブラシであって、
前記電動歯ブラシは、前記把持部に形成された把持部電極、および前記ブラシヘッド部に形成されたブラシヘッド部電極を有し、
前記駆動部は、前記把持部電極と前記ブラシヘッド部電極との間の電極間抵抗の変化に応じて、動作に関する状態である動作関連状態が変化する
電動歯ブラシ。
【請求項２】
把持部と、
ブラシヘッド部を有するブラシ部と、
前記ブラシ部を駆動する駆動部と
を有する電動歯ブラシであって、
前記電動歯ブラシは、前記ブラシヘッド部に形成された第１ブラシヘッド部電極および第２ブラシヘッド部電極を有し、
前記駆動部は、前記第１ブラシヘッド部電極と前記第２ブラシヘッド部電極との間の電極間抵抗の変化に応じて、動作に関する状態である動作関連状態が変化する
電動歯ブラシ。
【請求項３】
前記電動歯ブラシは、前記駆動部を制御する制御部、および前記電極間抵抗の変化を検知する検知部を有し、
前記制御部は、前記検知部の検知結果応じて前記駆動部を制御する
請求項１または２に記載の電動歯ブラシ。
【請求項４】
前記電動歯ブラシは、遅延部を有し、
前記遅延部は、前記電極間抵抗が変化するタイミングに対して前記駆動部の動作関連状態が変化するタイミングを遅延させる
請求項１〜３のいずれか一項に記載の電動歯ブラシ。
【請求項５】
把持部と、
ブラシヘッド部を有するブラシ部と、
前記ブラシ部を駆動する駆動部と
を有する電動歯ブラシであって、
前記電動歯ブラシは、第１導電部および第２導電部を有し、
前記第１導電部および前記第２導電部は、前記ブラシ部に作用する荷重に応じて、接触に関する状態である接触関連状態が変化し、
前記駆動部は、動作に関連する状態である動作関連状態が前記接触関連状態に応じて変化する
電動歯ブラシ。
【請求項６】
前記第１導電部および前記第２導電部は、前記ブラシ部に作用する荷重が第１基準荷重以上かつ第２基準荷重未満の大きさのとき、接触状態を形成し、
前記第１導電部および前記第２導電部は、前記ブラシ部に作用する荷重が前記第２基準荷重以上の大きさのとき、非接触状態を形成する
請求項５に記載の電動歯ブラシ。
【発明の詳細な説明】
【技術分野】
【０００１】
本発明は、電動歯ブラシに関する。
【背景技術】
【０００２】
従来の電動歯ブラシは、電動歯ブラシ本体部に電源スイッチを有する。使用者は、電動歯ブラシを利用して歯を清掃するとき、電源スイッチがオフの状態において歯ブラシに歯磨剤を載せる。使用者は、歯ブラシに歯磨剤を載せた後、電源スイッチをオフからオンに切り替えて歯ブラシを口腔内に挿入する。なお、特許文献１は、従来の電動歯ブラシの一例を開示している。
【先行技術文献】
【特許文献】
【０００３】
【特許文献１】特開２０１１−２４９０２８号公報
【発明の概要】
【発明が解決しようとする課題】
【０００４】
従来の電動歯ブラシは、電源スイッチがオンに変更されてから歯ブラシが口腔内に挿入されるまでの間において、歯ブラシの振動にともない歯磨剤が飛散するおそれがある。
本発明は、以上の背景をもとに創作されたものであり、歯磨剤の飛散を抑制することが可能な電動歯ブラシを提供することを目的とする。
【課題を解決するための手段】
【０００５】
（１）第１の手段は、「把持部と、ブラシヘッド部を有するブラシ部と、前記ブラシ部を駆動する駆動部とを有する電動歯ブラシであって、前記電動歯ブラシは、前記把持部に形成された把持部電極、および前記ブラシヘッド部に形成されたブラシヘッド部電極を有し、前記駆動部は、前記把持部電極と前記ブラシヘッド部電極との間の電極間抵抗の変化に応じて、動作に関する状態である動作関連状態が変化する電動歯ブラシ」を含む。
【０００６】
（２）第２の手段は、「把持部と、ブラシヘッド部を有するブラシ部と、前記ブラシ部を駆動する駆動部とを有する電動歯ブラシであって、前記電動歯ブラシは、前記ブラシヘッド部に形成された第１ブラシヘッド部電極および第２ブラシヘッド部電極を有し、前記駆動部は、前記第１ブラシヘッド部電極と前記第２ブラシヘッド部電極との間の電極間抵抗の変化に応じて、動作に関する状態である動作関連状態が変化する電動歯ブラシ」を含む。
【０００７】
（３）第３の手段は、「前記電動歯ブラシは、前記駆動部を制御する制御部、および前記電極間抵抗の変化を検知する検知部を有し、前記制御部は、前記検知部の検知結果応じて前記駆動部を制御する電動歯ブラシ」を含む。
【０００８】
（４）第４の手段は、「前記電動歯ブラシは、遅延部を有し、前記遅延部は、前記電極間抵抗が変化するタイミングに対して前記駆動部の動作関連状態が変化するタイミングを遅延させる電動歯ブラシ」を含む。
【０００９】
（５）第５の手段は、「把持部と、ブラシヘッド部を有するブラシ部と、前記ブラシ部を駆動する駆動部とを有する電動歯ブラシであって、前記電動歯ブラシは、第１導電部および第２導電部を有し、前記第１導電部および前記第２導電部は、前記ブラシ部に作用する荷重に応じて、接触に関する状態である接触関連状態が変化し、前記駆動部は、動作に関連する状態である動作関連状態が前記接触関連状態に応じて変化する電動歯ブラシ」を含む。
【００１０】
（６）第６の手段は、「前記第１導電部および前記第２導電部は、前記ブラシ部に作用する荷重が第１基準荷重以上かつ第２基準荷重未満の大きさのとき、接触状態を形成し、前記第１導電部および前記第２導電部は、前記ブラシ部に作用する荷重が前記第２基準荷重以上の大きさのとき、非接触状態を形成する電動歯ブラシ」を含む。
【発明の効果】
【００１１】
本発明は、歯磨剤の飛散を抑制することが可能な電動歯ブラシを提供する。
【図面の簡単な説明】
【００１２】
【図１】第１実施形態の電動歯ブラシの斜視構造を示す斜視図。
【図２】第１実施形態の電動歯ブラシの電気系の構成を示すブロック図。
【図３】第２実施形態の電動歯ブラシの検知部の構成を示すブロック図。
【図４】第３実施形態の電動歯ブラシに関する図であり、（ａ）は各電極が切断状態を形成しているときの部分断面図、（ｂ）は各電極が接続状態を形成しているときの部分断面図。
【図５】第４実施形態の電動歯ブラシに関する図であり、（ａ）は各電極が切断状態を形成しているときの部分断面図、（ｂ）は各電極が接続状態を形成しているときの部分断面図、（ｃ）は各電極が切断状態を形成しているときの部分断面図。
【発明を実施するための形態】
【００１３】
（第１の実施形態）
図１を参照して、電動歯ブラシ１の構成について説明する。
電動歯ブラシ１は、把持部１０およびブラシ部２０を有する。
【００１４】
把持部１０は、スイッチ１１、モード表示部１２、および把持部電極４０を有する。スイッチ１１は、電動歯ブラシ１の動作モードを切り替える。モード表示部１２は、電動歯ブラシ１の動作モードを表示する。
【００１５】
ブラシ部２０は、把持部１０への取り付け、および把持部１０からの取り外しが可能な構成を有する。ブラシ部２０は、ブラシ柄部２１およびブラシヘッド部２２を有する。ブラシヘッド部２２は、ブリッスル束２３およびブラシヘッド部電極４１を有する。
【００１６】
図２を参照して、電動歯ブラシ１の電気系の構成について説明する。
電動歯ブラシ１は、正電位電源ライン１５および負電位電源ライン１６を有する。把持部１０は、検知部３０、制御部５０、駆動部６０、電源管理部１３、および二次電池１４を有する。駆動部６０は、ブラシ部２０に振動を与える駆動源（図示略）を有する。正電位電源ライン１５は、二次電池１４の正側電極に接続される。負電位電源ライン１６は、二次電池１４の負側電極に接続される。把持部電極４０は、正電位電源ライン１５に接続される。
【００１７】
検知部３０は、オペアンプ３１、第１バイアス抵抗３２、第２バイアス抵抗３３、入力抵抗３４、および帰還抵抗３５を有する。検知部３０は、ブラシヘッド部電極４１および正電位電源ライン１５の電気的な接続状態の変化を検知し、検知結果をトランジスタ５１に出力する。
【００１８】
オペアンプ３１は、第１入力ノードｎ１、第２入力ノードｎ２、および出力ノードｎ３を有する。第１バイアス抵抗３２および第２バイアス抵抗３３は、正電位電源ライン１５と負電位電源ライン１６との間において互いに直列接続される。第１入力ノードｎ１は、正電位電源ライン１５および負電位電源ライン１６の中間点に接続される。第２入力ノードｎ２は、入力抵抗３４を介してブラシヘッド部電極４１に接続される。第２入力ノードｎ２は、帰還抵抗３５を介して出力ノードｎ３に接続される。
【００１９】
制御部５０は、トランジスタ５１、抵抗５２、および制御回路５３を有する。トランジスタ５１および抵抗５２は、電流増幅回路を構成する。トランジスタ５１は、検知部３０の出力電位に応じた供給電流を制御回路５３に供給する。制御回路５３は、トランジスタ５１の出力電位に応じて、駆動部６０および電源管理部１３を制御する。電源管理部１３は、二次電池１４の充電制御を行う。
【００２０】
駆動部６０は、動作に関連する状態である動作関連状態が検知部３０の検知結果に応じて変化する。駆動部６０の動作関連状態は、駆動状態および停止状態を含む。駆動部６０の駆動状態は、駆動部６０の駆動源が振動する状態を示す。駆動部６０の停止状態は、駆動部６０の駆動源が振動しない状態を示す。
【００２１】
電動歯ブラシ１は、把持部電極４０およびブラシヘッド部電極４１の電気的な接続状態である接続関連状態が変化する。接続関連状態は、接続状態および切断状態を含む。接続状態は、把持部電極４０およびブラシヘッド部電極４１が電気的に接続した状態を示す。切断状態は、把持部電極４０およびブラシヘッド部電極４１が電気的に切断した状態を示す。把持部電極４０およびブラシヘッド部電極４１の接続関連状態は、把持部電極４０とブラシヘッド部電極４１との間の電気抵抗である電極間抵抗に応じて変化する。
【００２２】
電極間抵抗は、使用者による電動歯ブラシ１の使用状態に応じて変化する。電極間抵抗は、使用者が把持部電極４０を把持していないとき、すなわち把持部電極４０の表面の全体が大気に触れているとき、基準抵抗以上の大きさを有する。電極間抵抗は、使用者がブラシヘッド部電極４１を口腔内に挿入していないとき、すなわちブラシヘッド部電極４１の全体が大気に触れているとき、基準抵抗以上の大きさを有する。電極間抵抗は、使用者が把持部電極４０を把持し、かつブラシヘッド部２２を口腔内に挿入しているとき、基準抵抗未満の大きさを有する。なお、人体の電気抵抗は、人体が有する導電率により決定される。人体の電気抵抗は、大気の電気抵抗よりも小さい。このため、把持部電極４０およびブラシヘッド部電極４１がそれぞれ人体と接触することにより、電極間抵抗が基準抵抗未満の大きさを有する。
【００２３】
把持部電極４０およびブラシヘッド部電極４１の接続関連状態は、電極間抵抗が基準抵抗以上の大きさを有するとき、切断状態を形成する。すなわち、把持部電極４０の全体およびブラシヘッド部電極４１の全体の少なくとも一方が大気に触れているとき、把持部電極４０およびブラシヘッド部電極４１が切断状態を形成する。
【００２４】
把持部電極４０およびブラシヘッド部電極４１の接続関連状態は、電極間抵抗が基準抵抗未満の大きさを有するとき、接続状態を形成する。すなわち、把持部電極４０およびブラシヘッド部電極４１がそれぞれ人体と接触しているとき、接続状態を形成する。
【００２５】
検知部３０の検知状態は、把持部電極４０およびブラシヘッド部電極４１の接続関連状態に応じて変化する。検知部３０の検知状態は、第１検知状態および第２検知状態を含む。第１検知状態および第２検知状態は、出力電位が互いに異なる。
【００２６】
検知部３０は、把持部電極４０およびブラシヘッド部電極４１が切断状態を形成するとき、第１検知状態を形成する。検知部３０の第１検知状態は、オペアンプ３１の第２入力ノードｎ２の電位が、正電位電源ライン１５の電位および出力ノードｎ３の電位のうちの出力ノードｎ３の電位のみに依存して動作する状態を示す。検知部３０は、第１検知状態を形成するとき、第１電位を制御部５０に出力する。
【００２７】
検知部３０は、把持部電極４０およびブラシヘッド部電極４１が接続状態を形成するとき、第２検知状態を形成する。検知部３０の第２検知状態は、オペアンプ３１の第２入力ノードｎ２の電位が、正電位電源ライン１５の電位および出力ノードｎ３の電位のうちの双方の電位に依存して動作する状態を示す。検知部３０は、第２検知状態を形成するとき、第２電位を制御部５０に出力する。
【００２８】
制御部５０は、検知部３０が第１電位を出力するとき、駆動部６０の駆動関連状態として停止状態を選択する。すなわち、電動歯ブラシ１の動作を停止する。制御部５０は、検知部３０が第２電位を出力するとき、駆動部６０の駆動関連状態として駆動状態を選択する。すなわち、電動歯ブラシ１を動作させる。
【００２９】
図２を参照して、電動歯ブラシ１の作用について説明する。
使用者は、次の手順で電動歯ブラシ１を使用する。使用者は、把持部１０を握る。このとき、使用者の手１０１が把持部電極４０に接触する。使用者は、ブリッスル束２３に歯磨剤を載せる。使用者は、ブラシヘッド部２２を口腔内１０２に挿入する。このとき、ブラシヘッド部２２の全体が口腔内１０２において大気に接触している。このため、把持部電極４０およびブラシヘッド部電極４１が切断状態を形成する。このため、検知部３０が第１検知状態を形成する。このため、検知部３０が第１電位を出力する。このため、駆動部６０が停止状態を形成する。
【００３０】
使用者は、ブラシヘッド部２２による歯の清掃を開始するとき、ブリッスル束２３を歯または歯茎に押し当てる。このとき、ブラシヘッド部電極４１は、歯磨剤および唾液の少なくとも一方を介して歯および歯茎の少なくとも一方と電気的に接続される。このため、把持部電極４０およびブラシヘッド部電極４１の接続関連状態が切断状態から接続状態に変化する。すなわち、把持部電極４０およびブラシヘッド部電極４１が使用者の体内１００の経路を介して電気的に接続される。このため、検知部３０の検知状態が第１検知状態から第２検知状態に変化する。このため、検知部３０の出力電位が第１電位から第２電位に変化する。このため、駆動部６０の駆動関連状態が停止状態から駆動状態に変化する。
【００３１】
使用者は、ブラシヘッド部２２による歯の清掃を終了するとき、ブリッスル束２３を歯または歯茎から離す。このとき、ブラシヘッド部電極４１は、歯または歯茎から電気的に切断される。このため、把持部電極４０およびブラシヘッド部電極４１の接続関連状態が接続状態から切断状態に変化する。このため、検知部３０の検知状態が第２検知状態から第１検知状態に変化する。このため、検知部３０の出力電位が第２電位から第１電位に変化する。このため、駆動部６０の駆動関連状態が駆動状態から停止状態に変化する。
【００３２】
本実施形態の電動歯ブラシ１は、以下の効果を奏する。
（１）電動歯ブラシ１は、把持部電極４０、ブラシヘッド部電極４１、検知部３０、および制御部５０を有する。把持部電極４０およびブラシヘッド部電極４１は、ブラシヘッド部２２が歯または歯茎に押し当てられたとき、電気的に接続される。検知部３０は、把持部電極４０およびブラシヘッド部電極４１の間の電極間抵抗に応じて出力電位を変化させる。制御部５０は、検知部３０の出力電位に応じて駆動部６０を制御する。この構成によれば、ブラシヘッド部２２が歯または歯茎に押し当てられていないとき、駆動部６０が停止状態を形成する。一方、ブラシヘッド部２２が歯または歯茎に押し当てられているとき、駆動部６０が駆動状態を形成する。このため、駆動部６０の駆動にともない歯磨剤が飛散することが抑制される。
【００３３】
（２）駆動部６０の駆動関連状態は、把持部電極４０およびブラシヘッド部電極４１の接続関連状態に応じて変化する。このため、電源スイッチにより駆動部の状態を変化させる従来の電動歯ブラシとは異なり、電動歯ブラシ１の使用時において使用者の手による電源スイッチの操作が不要になる。このため、利便性が向上する。
【００３４】
（３）電動歯ブラシ１は、使用者がブラシヘッド部２２を歯または歯茎に押し当てる力を変化させることにより、把持部電極４０およびブラシヘッド部電極４１の接続関連状態が変化する。このため、使用者は、通常のブラッシング時に発生させる力の範囲内において電動歯ブラシ１に加える力を変化させることにより、駆動部６０の駆動状態および停止状態を切り替えることができる。このため、従来の電動歯ブラシからスイッチに関する構造が変化したことに起因して、使用感が低下することが抑制される。
【００３５】
（第２実施形態）
第２実施形態の電動歯ブラシ１は、第１実施形態の電動歯ブラシ１と比較して次の部分において異なる構成を有し、その他の部分において同一の構成を有する。第１実施形態の電動歯ブラシ１と共通する構成については同一の符号を付して、その説明の一部または前部を省略する。
【００３６】
第１実施形態の電動歯ブラシ１は、検知部３０内のオペアンプ３１の第２入力ノードｎ２に接続される入力抵抗３４および帰還抵抗３５を有する（図２参照）。一方、第２実施形態の電動歯ブラシ１は、検知部３０内のオペアンプ３１の第２入力ノードｎ２に接続される入力抵抗３４および帰還抵抗３５に加え、遅延部としてのコンデンサ３６を有する。
【００３７】
図３を参照して、検知部３０の動作を説明する。
オペアンプ３１の第２入力ノードｎ２は、コンデンサ３６の電荷蓄積作用により、第１実施形態の検知部３０に比べ電位変化の速度が遅くなる。コンデンサ３６は、把持部電極４０およびブラシヘッド部電極４１の接続関連状態の変化に対して検知状態の変化するタイミングを遅延させる。このため、検知部３０の出力電位の変化するタイミングが把持部電極４０およびブラシヘッド部電極４１の接続関連状態の変化するタイミングに対して遅延する。このため、駆動部６０の駆動状態の変化するタイミングが把持部電極４０およびブラシヘッド部電極４１の接続関連状態の変化するタイミングに対して遅延する。
【００３８】
電動歯ブラシ１の作用について説明する。
使用者は、電動歯ブラシ１を使用するとき、歯磨剤を載せたブラシヘッド部２２を口腔内１０２に挿入する。このとき、ブラシヘッド部２２の全体が口腔内１０２において大気に接触している。このため、把持部電極４０およびブラシヘッド部電極４１が切断状態を形成する。このため、検知部３０が第１検知状態を形成する。このため、駆動部６０が停止状態を形成する。
【００３９】
使用者は、ブラシヘッド部２２による歯の清掃を開始するとき、ブリッスル束２３を歯または歯茎に押し当てる。このとき、把持部電極４０およびブラシヘッド部電極４１の接続関連状態が切断状態から接続状態に変化する。このため、検知部３０が把持部電極４０およびブラシヘッド部電極４１の接続関連状態の変化するタイミングに対して遅延したタイミングで第２検知状態を形成する。このため、駆動部６０が把持部電極４０およびブラシヘッド部電極４１の接続関連状態の変化するタイミングに対して遅延したタイミングで駆動状態を形成する。
【００４０】
使用者は、ブラシヘッド部２２による歯の清掃を終了するとき、ブリッスル束２３を歯または歯茎から離す。このとき、把持部電極４０およびブラシヘッド部電極４１の接続関連状態が接続状態から切断状態に変化する。このため、検知部３０が把持部電極４０およびブラシヘッド部電極４１の接続関連状態の変化するタイミングに対して遅延したタイミングで第１検知状態を形成する。このため、駆動部６０が把持部電極４０およびブラシヘッド部電極４１の接続関連状態の変化するタイミングに対して遅延したタイミングで停止状態を形成する。
【００４１】
検知部３０は、把持部電極４０およびブラシヘッド部電極４１の接続関連状態の変化が検知可能期間以上継続したときに検知状態を変化させる。検知可能期間は、把持部電極４０およびブラシヘッド部電極４１の接続関連状態の変化するタイミングに対する検知部３０の検知状態の変化するタイミングの遅延時間に依存して決定される。このため、検知部３０は、ブリッスル束２３を歯または歯茎に押し当てる期間およびブリッスル束２３を歯または歯茎から離す期間が検知可能期間内のとき、検知状態を保持する。
【００４２】
本実施形態の電動歯ブラシ１は、第１実施形態において記載した（１）〜（３）の効果に加えて、以下の効果を奏することができる。
（４）電動歯ブラシ１は、把持部電極４０およびブラシヘッド部電極４１の接続関連状態の変化を検知する検知部３０を有する。検知部３０は、把持部電極４０およびブラシヘッド部電極４１の接続関連状態の変化するタイミングに対する検知状態の変化するタイミングを遅延させる。この構成によれば、使用者が歯磨きを行なっているときに、使用者の歯や歯茎に押し当てられたブリッスル束２３が瞬間的に歯や歯茎から離れる状態が繰り返し生じても、電動歯ブラシ１の動作状態は継続される。このため、使用者の利便性が向上する。
【００４３】
（第３実施形態）
第１実施形態の電動歯ブラシ１は、把持部電極４０およびブラシヘッド部電極４１を有する。一方、第３実施形態の電動歯ブラシ８０は、把持部電極４０およびブラシヘッド部電極４１に代えて接続ターミナル４２および駆動ターミナル４５を有する。第１実施形態の電動歯ブラシ１と共通する構成については同一の符号を付して、その説明の一部または前部を省略する。
【００４４】
図４を参照して、電動歯ブラシ８０の構成について説明する。
把持部８１は、第１導電部としての接続ターミナル４２、第２導電部としての駆動ターミナル４５、ケーブル４４、およびコイルバネ７１を有する。接続ターミナル４２は、弾力性を有する樹脂部７０により把持部８１に固定されており、荷重により変位する。ブラシ部２０は、ブラシ柄部２１、ブラシヘッド部２２、ブリッスル束２３、およびターミナル固定具２４を有する。
【００４５】
ブラシ部２０は、接続ターミナル４２をターミナル固定具２４により固定することで、把持部８１に取り付けられる。駆動部６０は、駆動ターミナル４５を振動する。駆動ターミナル４５の振動は、接続ターミナル４２を介してブラシ部２０に伝えられる。接続ターミナル４２および駆動ターミナル４５は、導電性を有する金属材料を用いて形成されている。接続ターミナル４２はケーブル４４により、正電位電源ライン１５に接続される。駆動ターミナル４５は、オペアンプ３１の第２入力ノードｎ２に接続される。
【００４６】
電動歯ブラシ８０は、接続ターミナル４２および駆動ターミナル４５の接触関連状態が変化する。接触関連状態は、接触状態および非接触状態を含む。接触状態は、接続ターミナル４２および駆動ターミナル４５の電気的な接続状態を形成する。非接触状態は、接続ターミナル４２および駆動ターミナル４５の電気的な切断状態を形成する。接続ターミナル４２および駆動ターミナル４５は、電動歯ブラシ８０を使用していない初期状態では、図４（ａ）に示されるように、非接触状態を形成する。
【００４７】
検知部３０の検知状態は、接続ターミナル４２および駆動ターミナル４５の接触関連状態に応じて変化する。検知部３０は、接続ターミナル４２および駆動ターミナル４５の接触関連状態が非接触状態を形成するとき、第１検知状態を形成する。検知部３０は、接続ターミナル４２および駆動ターミナル４５の接触関連状態が接触状態を形成するとき、第２検知状態を形成する。
【００４８】
使用者は、次の手順で電動歯ブラシ８０を使用する。使用者は、ブリッスル束２３に歯磨剤を載せる。使用者は、ブラシヘッド部２２を口腔内１０２に挿入する。このとき、接続ターミナル４２および駆動ターミナル４５は非接触状態を形成している。このため、検知部３０は、第１の動作状態により動作する。このため、検知部３０は、第１の電位を出力する。このため、駆動部６０は停止状態を形成する。
【００４９】
使用者は、ブラシヘッド部２２による歯の清掃を開始するとき、ブリッスル束２３を歯または歯茎に押し当てる。このとき、ブラシ部２０に対して荷重が作用する。ブラシ部２０は、図４（ｂ）に示されるように、把持部８１に対して荷重の作用する方向に変位する。接続ターミナル４２は、ブラシ部２０と同一方向に変位する。接続ターミナル４２は、第１凹部４３が駆動ターミナル４５の第１凸部４６と噛み合うように変位する。このため、接続ターミナル４２および駆動ターミナル４５は接触状態を形成する。このため、検知部３０は、第２の動作状態により動作する。このため、検知部３０は、第２の電位を出力する。このため、駆動部６０は駆動状態を形成する。
【００５０】
使用者は、ブラシヘッド部２２による歯の清掃を終了するとき、ブリッスル束２３を歯または歯茎から離す。この動作により、ブラシ部２０に対する荷重の作用が消滅する。コイルバネ７１は、ブラシ部２０の把持部８１に対する位置を、図４（ａ）に示される歯の清掃を開始する前の状態に戻す。このため、接続ターミナル４２の第１凹部４３と、駆動ターミナル４５の第１凸部４６の噛み合せがはずれ、ブラシ部２０の振動が停止する。また、接続ターミナル４２および駆動ターミナル４５の接触関連状態が非接触状態を形成する。このため、検知部３０は、第１の動作状態により動作する。このため、検知部３０は、第１の電位を出力する。このため、駆動部６０停止状態を形成する。
【００５１】
本実施形態の電動歯ブラシ８０は、第１実施形態の電動歯ブラシ１が奏する（１）から（３）に準じた効果、すなわち歯磨剤の飛散を抑制する旨の効果、使用者の利便性が向上する旨の効果、およびその他の種々の効果を奏する。
【００５２】
（第４実施形態）
第４実施形態の電動歯ブラシ９０は、第３実施形態の電動歯ブラシ８０と比較して次の部分において異なる構成を有し、その他の部分において同一の構成を有する。なお、第３実施形態の電動歯ブラシ８０と共通する構成については同一の符号を付して、その説明の一部または全部を省略する。
【００５３】
第３実施形態の把持部８１は、駆動ターミナル４５を有する。一方第４実施形態の把持部９１は、第３実施形態の駆動ターミナル４５に代えて、第１駆動ターミナル９２Ａおよび第２駆動ターミナル９２Ｂを有する。
【００５４】
図５を参照して、電動歯ブラシ９０の構成について説明する。
把持部９１は、第１駆動ターミナル９２Ａ、第２駆動ターミナル９２Ｂ、ねじりバネ９６、および回転軸９７を有する。第１駆動ターミナル９２Ａおよび第２駆動ターミナル９２Ｂにより第２導電部を成している。
【００５５】
駆動部６０は、第２駆動ターミナル９２Ｂを振動する。第２駆動ターミナル９２Ｂの振動は、第１駆動ターミナル９２Ａおよび接続ターミナル４２を介してブラシ部２０に伝えられる。第１駆動ターミナル９２Ａおよび第２駆動ターミナル９２Ｂは、導電性を有する金属材料を用いて形成されている。第２駆動ターミナル９２Ｂは、オペアンプ３１の第２入力ノードｎ２に接続される。
【００５６】
電動歯ブラシ９０は、第１駆動ターミナル９２Ａおよび第２駆動ターミナル９２Ｂの接触関連状態が変化する。接触関連状態は、接触状態および非接触状態を含む。第１駆動ターミナル９２Ａおよび第２駆動ターミナル９２Ｂは、電動歯ブラシ９０を使用していない初期状態においては、図４（ａ）に示されるように、接触状態を形成している。
【００５７】
検知部３０の検知状態は、接続ターミナル４２と第１駆動ターミナル９２Ａおよび第２駆動ターミナル９２Ｂとの接触関連状態に応じて変化する。検知部３０は、接続ターミナル４２と第１駆動ターミナル９２Ａおよび第２駆動ターミナル９２Ｂとの接触関連状態が非接触状態を形成するとき、第１検知状態を形成する。検知部３０は、接続ターミナル４２と第１駆動ターミナル９２Ａおよび第２駆動ターミナル９２Ｂとの接触関連状態が接触状態を形成するとき、第２検知状態を形成する。
【００５８】
使用者は、次の手順で電動歯ブラシ９０を使用する。使用者は、ブリッスル束２３に歯磨剤を載せる。使用者は、ブラシヘッド部２２を口腔内１０２に挿入する。このとき、接続ターミナル４２および第１駆動ターミナル９２Ａは非接触状態を形成している。このため、検知部３０は、第１の動作状態により動作する。このため、検知部３０は、第１の電位を出力する。このため、駆動部６０は停止状態を形成する。
【００５９】
使用者は、ブラシヘッド部２２による歯の清掃を開始するとき、ブリッスル束２３を歯または歯茎に押し当てる。このとき、ブラシ部２０に対して荷重が作用する。ブラシ部２０は、図４（ｂ）に示されるように、把持部９１に対して荷重の作用する方向に変位する。接続ターミナル４２は、ブラシ部２０と同一方向に変位する。接続ターミナル４２は、ブラシ部２０に対する荷重が第１基準荷重以上となると、第１凹部４３が第１駆動ターミナル９２Ａの第２凸部９３と噛み合うように変位する。このため、接続ターミナル４２および第１駆動ターミナル９２Ａの接触関連状態が接触状態を形成する。このため、検知部３０は、第２の動作状態により動作する。このため、検知部３０は、第２の電位を出力する。このため、駆動部６０は駆動状態を形成する。接続ターミナル４２および第１駆動ターミナル９２Ａは、歯や歯茎に対して100g/cm2程度の接触圧力が生じるようブラシヘッド部２２を押し当てたとき接触するよう調整されている。
【００６０】
使用者が、ブリッスル束２３をさらに強く歯または歯茎に押し当てると、ブラシ部２０に対する荷重が増加する。ブラシ部２０は、増加した荷重の作用を受けて、図５（ｃ）に示されるように、把持部９１に対する荷重方向への変位量が増加する。第１駆動ターミナル９２Ａは、ブラシ部２０に対する荷重が第２基準荷重以上となると、接続ターミナル４２に押され、回転軸９７を支点として回旋する。このため、第１駆動ターミナル９２Ａの第２凹部９４と第２駆動ターミナル９２Ｂの第３凸部９５の噛み合せがはずれ、接続ターミナル４２および第２駆動ターミナル９２Ｂの接触関連状態が非接触状態を形成する。このため、検知部３０は、第１の電位を出力する。このため、駆動部６０は停止状態を形成する。第１駆動ターミナル９２Ａは、歯や歯茎に対して500g/cm2程度の接触圧力が生じるようブラシヘッド部２２を押し当てたときに旋回するよう調整されている。第１駆動ターミナル９２Ａは、ブラシ部２０に対する荷重が所定量以下に減衰すると、ねじりバネ９６により図５（ｂ）に示される初期の位置に戻される。
【００６１】
使用者は、ブラシヘッド部２２による歯の清掃を終了するとき、ブリッスル束２３を歯または歯茎から離す。この動作により、ブラシ部２０に対する荷重の作用が消滅する。コイルバネ７１は、ブラシ部２０の把持部９１に対する位置を、図４（ａ）に示される歯の清掃を開始する前の状態に戻す。このため、接続ターミナル４２の第１凹部４３と、第１駆動ターミナル９２Ａの第２凸部９３の噛み合せがはずれ、ブラシ部２０の振動が停止する。また、接続ターミナル４２および第１駆動ターミナル９２Ａの接触関連状態が非接触状態を形成する。このため、検知部３０は、第１の動作状態により動作する。このため、検知部３０は、第１の電位を出力する。このため、駆動部６０は停止状態を形成する。
【００６２】
本実施形態の電動歯ブラシ９０は、第１実施形態において記載した（１）〜（３）の効果に加えて、以下の効果を奏することができる。
（５）電動歯ブラシ９０は、ブラシヘッド部２２が歯または歯茎に押し当てられたとき、接続ターミナル４２および第１駆動ターミナル９２Ａの接触関連状態が接触状態を形成する。電動歯ブラシ１は、ブラシヘッド部２２がさらに強く歯または歯茎に強く押し当てられたとき、第１駆動ターミナル９２Ａおよび第２駆動ターミナル９２Ｂの接触関連状態が非接触状態を形成する。検知部３０は、接続ターミナル４２と第１駆動ターミナル９２Ａおよび第２駆動ターミナル９２Ｂとの接触関連状態を検知する。制御部５０は、検知部３０の検知結果に応じて駆動部６０を駆動する。この構成によれば、検知部３０は、歯や歯茎に対する荷重が第１基準荷重以上かつ第２基準荷重未満の大きさのとき、駆動部６０を駆動させる。検知部３０は、歯や歯茎に対する荷重が第２基準荷重以上の大きさのとき、駆動部６０を停止させる。このことにより、使用者の歯や歯茎を傷つけることを抑制することができる。
【００６３】
（その他の実施形態）
本発明は、第１実施形態〜第４実施形態以外の実施形態を含む。以下、本発明のその他の実施形態としての第１実施形態〜第４実施形態以外の変形例を示す。なお、以下の各変形例は、互いに組み合わせることもできる。
【００６４】
・第１実施形態の電動歯ブラシ１は、把持部１０に設けられた把持部電極４０およびブラシヘッド部２２に備えられたブラシヘッド部電極４１を有する。一方、変形例の電動歯ブラシ１は、ブラシヘッド部２２に備えられた第１ブラシヘッド部電極および第２ブラシヘッド部電極を有する。
【００６５】
電動歯ブラシ１の使用時に、使用者は、ブリッスル束２３に歯磨剤を載せたブラシヘッド部２２を口腔内１０２に挿入する。このとき、第１ブラシヘッド部電極および第２ブラシヘッド部電極は、接続関連状態が切断状態を形成する。このため、駆動部６０が停止状態に保持される。
【００６６】
使用者は、ブラシヘッド部２２による歯の清掃を開始するとき、ブリッスル束２３を歯または歯茎に押し当てる。このとき、第１ブラシヘッド部電極および第２ブラシヘッド部電極は、歯磨剤および唾液の少なくとも一方を介して歯および歯茎の少なくとも一方と電気的に接続される。このため、第１ブラシヘッド部電極および第２ブラシヘッド部電極は、接続関連状態が接続状態を形成する。このため、検知部３０は、第２の動作状態により動作する。このため、駆動部６０が駆動する。
【００６７】
使用者は、ブラシヘッド部２２による歯の清掃を終了するとき、ブリッスル束２３を歯または歯茎から離す。このとき、第１ブラシヘッド部電極および第２ブラシヘッド部電極は、歯および歯茎から電気的に切断される。このため、第１ブラシヘッド部電極および第２ブラシヘッド部電極は、接続関連状態が切断状態を形成する。このため、駆動部６０が停止する。
【００６８】
本実施形態の電動歯ブラシ１は、第１実施形態の電動歯ブラシ１が奏する（１）から（３）に準じた効果、すなわち歯磨剤の飛散を抑制する旨の効果、使用者の利便性が向上する旨の効果、およびその他の種々の効果を奏する。
【００６９】
・第２実施形態の電動歯ブラシ１は、オペアンプ３１の第２入力ノードｎ２に設けられたコンデンサ３６からな成る遅延部を有する。一方、変形例の電動歯ブラシ１は、オペアンプ３１の出力ノードｎ３に設けられたコンデンサから成る遅延部を有する。検知部３０の検知結果を遅延部により遅延させる。このため、電極間抵抗の変化に対する、駆動部６０の駆動状態の変化するタイミングが遅延する。
【００７０】
本実施形態の電動歯ブラシ１は、第１実施形態および第２実施形態の電動歯ブラシ１が奏する（１）から（４）に準じた効果、すなわち歯磨剤の飛散を抑制する旨の効果、使用者の利便性が向上する旨の効果、およびその他の種々の効果を奏する。
【００７１】
・第２実施形態の電動歯ブラシ１は、検知部３０に設けられたコンデンサ３６からなる遅延部を有する。一方、変形例の電動歯ブラシ１は、制御部５０内に遅延部を有する。検知部３０の検知結果に応じた駆動部６０の制御を、制御部５０内の遅延部により遅延させる。このため、電極間抵抗の変化に対する、駆動部の駆動状態の変化するタイミングが遅延する。
【００７２】
本実施形態の電動歯ブラシ１は、第１実施形態および第２実施形態の電動歯ブラシ１が奏する（１）から（４）に準じた効果、すなわち歯磨剤の飛散を抑制する旨の効果、使用者の利便性が向上する旨の効果、およびその他の種々の効果を奏する。
【００７３】
・第１実施形態〜第４実施形態の電動歯ブラシ１は、把持部１０への取り付け、および把持部１０からの取り外しが可能なブラシ部２０の構成を有する。一方、変形例の電動歯ブラシ１は把持部１０とブラシ部２０とが一体形成されている。
【符号の説明】
【００７４】
１、８０、９０…電動歯ブラシ、１０、８１、９１…把持部、２０…ブラシ部、２２…ブラシヘッド部、３０…検知部、４０…把持部電極、４１…ブラシヘッド部電極、４２…接続ターミナル、４５…駆動ターミナル、５０…制御部、６０…駆動部。
【図１】
2014018468.tif 000003
【図２】
2014018468.tif 000004
【図３】
2014018468.tif 000005
【図４】
2014018468.tif 000006
【図５】
2014018468.tif 000007